(57)【要約】【課題】  必要かつ十分な接着機能をもちかつスマートで扱い易い両面接着シート部材を提供する。【解決手段】  本考案による両面接着シート部材は、シート状支持本体の一方の表面には全面に接着層が形成され、他方の表面には部分的な接着層が形成されて成ることを特徴としている。【選択図】        図２
0003124049.tif 000002
【実用新案登録請求の範囲】
【請求項１】
シート状支持本体（１）の一方の表面には全面に接着層（２）が形成され、他方の表面には部分的な接着層（４；５；６）が形成されて成る両面接着シート部材。
【請求項２】
シート状支持本体（１）の他方の表面における部分的な接着層（４；５）が、円形又は楕円形のスポット状に形成され、他方の表面におけるその他の部分が非接着部を形成している請求項１の両面接着シート部材。
【請求項３】
シート状支持本体（１）の他方の表面における部分的な接着層（４；５）が、間隔をおいて連続して円形又は楕円形のスポット状に形成され、他方の表面におけるその他の部分が非接着部を形成している請求項１の両面接着シート部材。
【請求項４】
シート状支持本体（１）の他方の表面における部分的な接着層（６）が、シート状支持本体（１）の他方の表面の長手方向中央軸線に沿って帯状に形成され、他方の表面におけるその他の部分が非接着部を形成している請求項１の両面接着シート部材。
【請求項５】
シート状支持本体（１）の一方の表面における全面接着層（２）上には、その接着層（２）を覆う台紙（３）が剥離可能に貼り付けられている請求項１の両面接着シート部材。
【請求項６】
シート状支持本体（１）及びその一方の表面における全面接着層（２）を覆う台紙（３）には、他方の表面における隣接した部分的な接着層（４）間に易破断部（７）を形成した請求項２〜５のいずれか一項に記載の両面接着シート部材。
【請求項７】
シート状支持本体（１）の他方の表面における部分的な接着層（４）上には、その接着層（４）を覆う保護シート（８）が剥離可能に貼り付けられている請求項１に記載の両面接着シート部材。
【請求項８】
シート状支持本体（１）、台紙（３）及び保護シート（８）には、他方の表面における隣接した部分的な接着層（４）間に易破断部（９）を形成した請求項７に記載の両面接着シート部材。
【請求項９】
保護シート（８）が、シート状支持本体（１）の他方の表面における部分的な接着層（３）上にシート状支持本体（１）の幅より狭い幅で設けられている請求項７に記載の両面接着シート部材。
【考案の詳細な説明】
【技術分野】
【０００１】
本考案は、あまり強力な接着力を必要としない軽い物や小物などを固着保持するのに使用する両面接着シート部材に関するものである。
【背景技術】
【０００２】
台紙ごと必要寸法に切った後、台紙を剥がして二つの物体の接着などに使用する両面接着テープは種々提案され実用に供されている。
【考案の開示】
【考案が解決しようとする課題】
【０００３】
従来の両面接着テープは、使用に際して、台紙ごと必要寸法に切り取り、互いに接着しようとする二つの物体の一方に押し付けて接着し、その後台紙を剥がして他方の物体に接着するのが一般的である。しかし、台紙ごと切り取った接着材は、台紙から剥がれ難く、また台紙を剥がすと、テープ両面に接着剤が付いているので、指先にベタベタくっ付いて扱い難く、接着したい場所や物に正確に接着し難い。壁に大きなポスターを貼り付ける場合のような、比較的強い接着力が必要な場合は、テープ両面の全面に接着剤が付いている方がよいが、例えば壁に小さな張り紙をしたり、衣服に小さな飾り物やマーカーを付けたりする場合は、それほど強い接着力は必要なく、むしろ飾り物やマーカーからはみ出した接着テープにほこりなどの余計なものがくっ付いたりする。
【０００４】
そこで本考案は、このような従来技術の問題点を解決して、必要かつ十分な接着機能をもちかつスマートで扱い易い両面接着シート部材を提供することを目的としている。
【課題を解決するための手段】
【０００５】
上記の目的を達成するために、本考案による両面接着シート部材は、シート状支持本体の一方の表面には全面に接着層が形成され、他方の表面には部分的な接着層が形成されて成ることを特徴としている。
【０００６】
本考案による両面接着シート部材においては、シート状支持本体の他方の表面における部分的な接着層は、円形又は楕円形のスポット状に形成され、他方の表面におけるその他の部分は非接着部を形成するように構成され得る。
【０００７】
また、シート状支持本体の他方の表面における部分的な接着層は、間隔をおいて連続して円形又は楕円形のスポット状に形成され得る。
【０００８】
また、本考案による両面接着シート部材においては、シート状支持本体の他方の表面における部分的な接着層は、シート状支持本体の他方の表面の長手方向中央軸線に沿って帯状に形成され得る。
【０００９】
また、シート状支持本体の一方の表面における全面接着層上には、その接着層を覆う台紙が剥離可能に貼り付けられ得る。
【００１０】
さらに、シート状支持本体及びその一方の表面における全面接着層を覆う台紙には、他方の表面における隣接した部分的な接着層間に易破断部が形成され得る。
【００１１】
さらに、本考案による両面接着シート部材においては、シート状支持本体の他方の表面における部分的な接着層上には、その接着層を覆う保護シートが剥離可能に貼り付けら得る。
【００１２】
好ましくは、シート状支持本体、台紙及び保護シートには、他方の表面における隣接した部分的な接着層間に易破断部が形成され得る。
【００１３】
保護シートは、シート状支持本体の他方の表面における部分的な接着層上にシート状支持本体の幅より狭い幅で設けられ得る。
【考案の効果】
【００１４】
本考案による両面接着シート部材は、上記のように構成しているので、使用に際して、台紙や保護シートごと切り取っても、端の方を少し曲げるようにすれば、シート状支持本体から簡単に台紙や保護シートを剥がすことができる。
【００１５】
またシート状支持本体から台紙や保護シートを剥がし取った後も、シート状支持本体の一方の表面には全面に接着層を施しているが、他方の表面には円形又は楕円形或いは帯状の接着層を部分的に設けているので、接着剤の付いていない周辺や端部に、指先を当てるようにして扱えば、接着材が指先にベタベタとくっ付くこともなく、接着したい場所や物に正確に接着することができる。
【００１６】
さらに、全面に接着層が施されているシート状支持本体の一方の表面には、接着層より少し幅の広い台紙を貼り付け、部分的な接着層が、連続した円形又は楕円形のスポット状に施されているシート状支持本体の他方の表面には、接着層より少し幅の狭い保護シートを貼り付けていて、かつ円形又は楕円形のスポット状接着層の設けられたシート状支持本体に、台紙の一部を残して、保護シート、シート状支持本体及び台紙ごと易破断部即ち切れ目を入れておくことによって、中央部に円形又は楕円形の接着部がある小型のスマートな接着シート部材が、簡単に台紙や保護シートを剥ぎ取ることにより用意でき、壁や衣服に軽い物や小物を接着すような場合に便利である。
【考案を実施するための最良の形態】
【００１７】
以下、図面を参照しながら本考案よる両面接着シート部材の種々の実施形態について詳細に説明する。
【００１８】
先ず図１及び図２を参照すると、本考案よる両面接着シート部材の一つの実施形態が示され、例えば紙、布又は合成材料のような適当な材料から成り得るシート状支持本体１の下側表面の全体に接着層２が形成され、この接着層２上には接着層２を覆う台紙３が剥離可能に貼り付けられている。この場合台紙３の幅はシート状支持本体１の幅、従って接着層２の幅に等しい。また、シート状支持本体１の上側表面には複数の円形のスポット状接着層４が間隔を置いて連続して形成されている。
【００１９】
図３及び図４には、本考案よる両面接着シート部材の別の実施形態を示し、図１及び図２の実施形態の場合と同様に例えば紙、布又は合成材料のような適当な材料から成り得るシート状支持本体１の下側表面の全体に接着層２が形成され、この接着層２上には接着層２を覆う台紙３が剥離可能に貼り付けられている。この場合台紙３の幅はシート状支持本体１の幅、従って接着層２の幅より広く寸法決めされている。また、シート状支持本体１の上側表面には図１及び図２の実施形態の場合と同様に複数の円形のスポット状接着層４が間隔を置いて連続して形成されている。
【００２０】
図５及び図６は、図３及び図４の実施形態の変形例を示し、この場合、シート状支持本体１の上側表面に複数の楕円形のスポット状接着層５が形成されている。その他の構成は図３及び図４の実施形態の場合と実質的に同じである。
【００２１】
図７及び図８には、本考案よる両面接着シート部材の別の実施形態を示し、図３及び図４の実施形態の場合と同様に例えば紙、布又は合成材料のような適当な材料から成り得るシート状支持本体１の下側表面の全体に接着層２が形成され、この接着層２上には接着層２を覆う台紙３が剥離可能に貼り付けられ、台紙３の幅はシート状支持本体１の幅、従って接着層２の幅より広く寸法決めされている。また、シート状支持本体１の上側表面にはその長手方向中央軸線に沿って帯状接着層６が連続して形成され、シート状支持本体１の上側表面の長手方向側端部が露出するように、帯状接着層６の幅はシート状支持本体１の幅より実質的に狭くされている。言い換えれば、帯状接着層６はシート状支持本体１の上側表面における長手方向中央部にのみ形成されている。
【００２２】
図１〜図８に示す本考案よる両面接着シート部材は、例えば巻き取り型や条片型に構成され得る。
【００２３】
このようにして構成した図１〜図８に示す本考案による両面接着シート部材は、使用に際しては台紙ごと必要な寸法に切り取られる。特に、図３〜図８に示す実施形態では、台紙３の幅が接着層２より少し広く構成されているので、切り取った端の方を少し折り曲げるようにすると簡単に台紙３を剥ぎ取ることができる。接着層４又は５又は６が部分的に施されているシート状支持本体１の一面即ち上面に、接着しようとする小物を押し付けて接着した後、台紙３を剥がして接着層２が全面に施されているシート状支持本体１の片面即ち下面を、接着しようとする物体に押し付けて接着する。
【００２４】
また逆に、台紙３を剥がして接着層２が全面に施されているシート状支持本体１の片面を、物体に押し付けて接着した後、接着層４又は５又は６が部分的に施されているシート状支持本体１の一面に、接着しようとする小物を押し付けて接着してもよい。これらの両面接着シート部材は、台紙３を剥ぎ取った後も、一面の接着層４又は５又は６が中央部の円形ないしは楕円形あるいは帯状の部分だけであり、その他の周辺や端部には接着剤が付いていないので、その部分に指先を当てるようにして扱えば、貼り付け時に接着材がベタベタとくっ付くこともなく、接着したい場所や物に正確に接着することができる。
【００２５】
図９〜図１２には、本考案の別の実施形態による両面接着シート部材を示している。図３及び図４に示す実施形態の場合と同様に、例えば紙、布又は合成材料のような適当な材料から成り得るシート状支持本体１の下側表面の全体に接着層２が形成され、この接着層２上には、幅がシート状支持本体１の幅より広く寸法決めされた、接着層２を覆う台紙３が剥離可能に貼り付けられている。シート状支持本体１の上側表面には図１及び図２の実施形態の場合と同様に複数の円形のスポット状接着層４が間隔を置いて連続して形成されている。また、隣接したスポット状接着層４の間においてシート状支持本体１及び台紙３を横切って易破断部を成す切れ目７が形成され、各切れ目７は図９に示すように、台紙３の両側縁部を残して設けられている。
【００２６】
図９〜図１２に示す両面接着シート部材を使用する際は、切れ目７に沿って切り取り、台紙３からシート状支持本体１を剥ぎ取り、接着層２を露出させ、この露出した接着層２を、接着しようとする物体に押し付けて貼り付け、そしてスポット状接着層４上に小物を押し付けて接着する。この場合、台紙３はその両側縁部を介して全体が繋がっているので、切れ目７に沿ってシート状支持本体１を台紙３から簡単に切取りながら剥ぎ取ることができ、また接着層４が中央部の円形の部分だけであり、その他の周辺や端部には接着剤が付いていないので、その部分に指先を当てるようにして扱えば、貼り付け時に接着材がベタベタとくっ付くこともなく、接着したい場所や物に正確に接着することができる。なお、図９〜図１２に示す両面接着シート部材は好ましくは巻き取り型やいくつかの円形のスポット状接着層４を含む条片型に構成され得る。
【００２７】
図１３及び図１４には、本考案の別の実施形態による両面接着シート部材を示し、この場合には、図３及び図４に示す実施形態の場合と同様に、例えば紙、布又は合成材料のような適当な材料から成り得るシート状支持本体１の下側表面の全体に接着層２が形成され、この接着層２上には、幅がシート状支持本体１の幅より広く寸法決めされた、接着層２を覆う台紙３が剥離可能に貼り付けられている。シート状支持本体１の上側表面には図１及び図２の実施形態の場合と同様に複数の円形のスポット状接着層４が間隔を置いて連続して形成されている。また、複数の円形のスポット状接着層４上には、シート状支持本体１の幅より少し幅の狭い保護シート８が貼り付けられている。
【００２８】
図１３及び図１４に示す両面接着シート部材を使用する際は、シート状支持本体１を台紙３及び保護シート８ごと切り取る。この場合、台紙３はシート状支持本体１より少し幅が広く、保護シート８はシート状支持本体１より少し幅が狭くなっているので、シート状支持本体１から台紙３及び保護シート８を簡単に剥ぎ取ることができ、指先にベタベタくっ付くこともなく、前述の実施形態の場合と同様に、接着しようとする小物と物体に順次押し付けて接着する。
【００２９】
図１５〜図１８は、本考案のさらに別の実施形態による両面接着シート部材を示している。この実施形態による両面接着シート部材は、図９〜図１２の実施形態と図１３及び図１４の実施形態とを組合せた形態である。即ち、例えば紙、布又は合成材料のような適当な材料から成り得るシート状支持本体１の下側表面の全体に接着層２が形成され、この接着層２上には、幅がシート状支持本体１の幅より広く寸法決めされた、接着層２を覆う台紙３が剥離可能に貼り付けられている。シート状支持本体１の上側表面には図１及び図２の実施形態の場合と同様に複数の円形のスポット状接着層４が間隔を置いて連続して形成されている。また、複数の円形のスポット状接着層４上には、シート状支持本体１の幅より少し幅の狭い保護シート８が貼り付けられている。さらに、隣接したスポット状接着層４の間においてシート状支持本体１及び台紙３及び保護シート８を横切って易破断部を成す切れ目９が形成され、各切れ目９は図１５に示すように、台紙３の両側縁部を残して設けられている。
【００３０】
図１５〜図１８に示す両面接着シート部材を使用する際には、切れ目９の入ったところのシート状支持本体１を台紙３から剥ぎ取り、接着層２を露出させる。全面に接着層２が設けられているシート状支持本体１の面を、接着しようとする物体に押し付けて貼り、次に上側の保護シート８を剥がして、円形のスポット状接着層４に小物を押し付けて接着する。台紙３、シート状支持本体１及び保護シート８には切り目９が入っているが、台紙３の両側縁部は全体が繋がっているから、切り目９のところからシート状支持本体１及び保護シート８だけを、台紙３から簡単に剥ぎ取ることができる。また円形のスポット状接着層４上に貼り付けられている保護シート８も、シート状支持本体１より幅が少し狭くなっているので、シート状支持本体１の端を少し折り曲げるようにすると、簡単に剥ぎ取ることができる。またシート状支持本体１の一面に、円形のスポット状接着層４外には接着剤が付いていないので、指先にベタベタくっ付くこともなく、接着したい場所や物に容易に、かつ正確に接着することができる。なお、図１３〜図１８に示す両面接着シート部材も例えば巻き取り型や条片型に構成され得る。
【図面の簡単な説明】
【００３１】
【図１】本考案による両面接着シート部材の一実施形態を示す平面図。
【図２】図１の矢印Ａ−Ａに沿った拡大横断面図。
【図３】本考案による両面接着シート部材の別の実施形態を示す平面図。
【図４】図３の矢印Ｂ−Ｂに沿った拡大横断面図。
【図５】本考案による両面接着シート部材の変形実施形態を示す平面図。
【図６】図５の矢印Ｃ−Ｃに沿った拡大横断面図。
【図７】本考案による両面接着シート部材の別の実施形態を示す平面図。
【図８】図８の矢印Ｄ−Ｄに沿った拡大横断面図。
【図９】本考案による両面接着シート部材の別の実施形態を示す平面図。
【図１０】図９の矢印Ｅ−Ｅに沿った拡大横断面図。
【図１１】図９の矢印Ｆ−Ｆに沿った拡大横断面図。
【図１２】図９の矢印Ｇ−Ｇに沿った縦断面図。
【図１３】本考案による両面接着シート部材の別の実施形態を示す平面図。
【図１４】図１３の矢印Ｈ−Ｈに沿った拡大横断面図。
【図１５】本考案による両面接着シート部材のさらに別の実施形態を示す平面図。
【図１６】図１５の矢印Ｉ−Ｉに沿った拡大横断面図。
【図１７】図１５の矢印Ｊ−Ｊに沿った拡大横断面図。
【図１８】図１５の矢印Ｋ−Ｋに沿った縦断面図。
【符号の説明】
【００３２】
１：シート状支持本体
２：全面に施された接着層
３：台紙
４：円形のスポット状接着層
５：楕円形のスポット状接着層
６：帯状接着層
７：切れ目
８：保護シート
９：切れ目
【図１】
0003124049.tif 000003
【図２】
0003124049.tif 000004
【図３】
0003124049.tif 000005
【図４】
0003124049.tif 000006
【図５】
0003124049.tif 000007
【図６】
0003124049.tif 000008
【図７】
0003124049.tif 000009
【図８】
0003124049.tif 000010
【図９】
0003124049.tif 000011
【図１０】
0003124049.tif 000012
【図１１】
0003124049.tif 000013
【図１２】
0003124049.tif 000014
【図１３】
0003124049.tif 000015
【図１４】
0003124049.tif 000016
【図１５】
0003124049.tif 000017
【図１６】
0003124049.tif 000018
【図１７】
0003124049.tif 000019
【図１８】
0003124049.tif 000020